(57)【要約】【課題】リール脚を固定する際に可動フードが傾くことを抑制することができる釣竿用リールシート及び釣竿を提供する。【解決手段】リール脚５が載置されるリール脚載置部２０と左右一対の案内溝２９とが形成されたリールシート本体１０と、リールシート本体１０の案内溝２９に案内されて軸線方向に沿ってスライド移動可能な筒状の可動フード１１とを備えた釣竿用リールシートにおいて、案内溝２９の終端部近傍には、リール脚載置部２０とは反対側に向けて傾斜した傾斜領域２９ａが設けられている。【選択図】図３
2015167508.tif 000002
【特許請求の範囲】
【請求項１】
リール脚が載置されるリール脚載置部と左右一対の案内溝とが形成されたリールシート本体と、リールシート本体の案内溝に案内されて軸線方向に沿ってスライド移動可能な筒状の可動フードとを備えた釣竿用リールシートにおいて、
案内溝の終端部近傍には、リール脚載置部とは反対側に向けて傾斜した傾斜領域が設けられていることを特徴とする釣竿用リールシート。
【請求項２】
請求項１記載の釣竿用リールシートを備えた釣竿。
【発明の詳細な説明】
【技術分野】
【０００１】
本発明は、釣竿にリールを固定するための釣竿用リールシートとそれを備えた釣竿に関する。
【背景技術】
【０００２】
釣竿にリールを固定するための釣竿用リールシートとしては、下記特許文献１，２のように、リールシート本体に外装される筒状の可動フードを備えたものがある。リールシート本体には上側あるいは下側にリール脚を載置するためのリール脚載置部が形成され、また左右両側部にはそれぞれ案内溝が形成されている。そして、可動フードは左右一対の案内溝に案内されてリールシート本体に対して軸線方向にスライドし、可動フードを軸線方向の一方側に移動させるとリール脚を固定することができ、逆に、軸線方向の他方側に移動させるとリール脚の固定を解除することができる。
【０００３】
可動フードを軸線方向の一方側に移動させると、可動フードの内側にリール脚の端部が入り込むことになるが、逆に可動フードはリール脚の端部から径方向外側への力を受けながらリール脚の端部の外面に乗り上げていくことになる。可動フードはリールシート本体に対してスライド移動できるように構成されているため、その構造上、リールシート本体と可動フードとの間には僅かなクリアランスが存在しており、案内溝とそれに係合する可動フードの係合凸部との間には、上下方向のクリアランスが存在している。従って、可動フードがリール脚の端部の外面に乗り上げていくと、上下のクリアランスの分だけ、可動フード体は若干傾いた状態となる。例えば、リールをリールシート本体の上側に取り付ける場合、リール脚載置部は上側に位置することになる。その場合、可動フードは、リール脚挿入側の開口端部が若干上側に傾斜した傾斜状態となる。
【０００４】
ところで、リールを取り付けた状態のリールシートを釣り人が把持した際に、良好な感触が手に伝わるようにするために、リールシート本体と可動フードとがリール脚載置部とは反対側において、あたかも一つの連続面を形成するかの如く略面一になるように構成することが好ましく、そのためにリールシート本体に小径部を設けることがある。図７に従来のリールシート本体１００の要部を示している。該リールシート本体１００においては、後側を相対的に太く形成して大径部１０２とする一方、該大径部１０２よりも細い小径部１０３を径方向の段差部１０４を介してリールシート本体１００の前側に形成しており、かかる小径部１０３に、可動フード１０５を移動させるための図示しないナットが螺着する雄ネジ部１０６を形成すると共に該雄ネジ部１０６を部分的に切り欠くように横断する案内溝１０７を左右一対形成している。尚、可動フード１０５は二点鎖線で要部のみを示している。リールをリールシートに取り付ける際、可動フード１０５は図７（ａ）の矢印の方向に沿って移動し、リール脚を固定すると、図７（ｂ）のようにリール脚載置部１０１とは反対側の下面においては、リールシート本体１００の大径部１０２の端部外周面と可動フード１０５の端部外周面とが略面一となることが理想的である。
【０００５】
しかしながら、実際には、上述したように可動フード１０５はそのリール脚挿入側の開口端部である後端部が若干上側に傾斜した傾斜状態となるため、リール脚載置部１０１とは反対側の下面においてリールシート本体１００の大径部１０２の端部外周面と可動フード１０５の端部外周面とが略面一にはならず、可動フード１０５の下面の外周面が内側、即ち図７においては上側に入り込んだ状態となり、リールシート本体１００の大径部１０２の端部外周面と可動フード１０５の端部外周面との間に若干のズレや段差が生じることになる。そして、このような段差にリールシートを把持した手の指が当たると、釣り人は違和感を感じることになって釣りに集中しにくくなる。
【０００６】
一方、リールシートを薄肉化するために、リールシート本体に上述したような段差部を形成せず、あるいは、段差部を形成したとしても僅かなものにすると共に、可動フードを薄いものにするという構成もある。しかしながら、上述のように可動フードが傾くと、リール脚載置部とは反対側において可動フードの開口端部がリールシート本体の外周面に擦れ、リールシート本体の外周面に傷が付くというおそれがある。この傷の発生は、特に強度確保のために可動フードが金属製等の硬い材質から構成されている場合に顕著になる。
【０００７】
何れにしても、リール脚を可動フードで固定した際に可動フードが傾くことで、リール脚載置部とは反対側において可動フードの開口端部が内側に入り込んでいくために、それに起因した種々の問題が生じるのである。
【先行技術文献】
【特許文献】
【０００８】
【特許文献１】特開２００５−１９８５８８号公報
【特許文献２】特開２００２−１１９１７８号公報
【発明の概要】
【発明が解決しようとする課題】
【０００９】
それゆえに本発明は、リール脚を固定する際に可動フードが傾くことを抑制することができる釣竿用リールシート及び釣竿を提供することを課題としている。
【課題を解決するための手段】
【００１０】
本発明は上記課題を解決すべくなされたものであって、本発明に係る釣竿用リールシートは、リール脚が載置されるリール脚載置部と左右一対の案内溝とが形成されたリールシート本体と、リールシート本体の案内溝に案内されて軸線方向に沿ってスライド移動可能な筒状の可動フードとを備えた釣竿用リールシートにおいて、案内溝の終端部近傍には、リール脚載置部とは反対側に向けて傾斜した傾斜領域が設けられていることを特徴とする。尚、案内溝の終端部とは、リール脚を固定する側の端部である。
【００１１】
例えば、リール脚載置部が上側に位置する構成を例にする。上述のように可動フードをリール脚を固定する方向に向けて移動させていくと、可動フードはリール脚の端部の外面に乗り上げることでクリアランスの分だけリール脚挿入側の開口端部が上側に傾斜しようとする。しかしながら、リールシート本体の案内溝の終端部近傍にリール脚載置部とは反対側に向けて傾斜した、即ち、下側に傾斜した傾斜領域が形成されているので、該傾斜領域によって可動フードはリール脚挿入側の開口端部が逆に下側に向けて傾斜しようとする。つまり、可動フードがリール脚の端部に乗り上げて上側に傾こうとしても、案内溝の傾斜領域によってその傾きが抑制されることになる。
【００１２】
従って、リールシート本体の外周面に径方向の段差部を設けて下側において大径部の端部外周面と可動フードのリール脚挿入側の端部外周面とを略面一にする構成においては、リールシート本体の大径部の端部外周面と可動フードのリール脚挿入側の端部外周面との間に段差やズレが発生しにくくなる。また、リールシート本体に段差部を形成せずに可動フードを薄肉化した構成においては、可動フードの開口端部がリールシート本体の外周面に擦れにくくなって、リールシート本体の外周面の傷付きが抑制される。
【００１３】
また、本発明に係る釣竿は上記釣竿用リールシートを備えたものである。
【発明の効果】
【００１４】
以上のように、リールシート本体の案内溝の終端部に傾斜領域を設けたことにより、リール脚を固定する際における可動フードの傾きが抑制されることになり、可動フードが傾くことに起因した種々の問題の発生も抑制される。
【図面の簡単な説明】
【００１５】
【図１】本発明の一実施形態における釣竿用リールシートを装着した釣竿の要部を示す側面図。
【図２】同釣竿の要部を穂先側から見た正面図。
【図３】図２のＡ−Ａ要部断面図。
【図４】比較例としての釣竿用リールシートを装着した釣竿の要部であって、図３に対応した要部断面図。
【図５】（ａ）は図３の要部拡大図、（ｂ）は図４の要部拡大図。
【図６】（ａ）は図３のＢ部拡大図、（ｂ）は図４のＢ部拡大図。
【図７】従来の釣竿用リールシートの要部を示す側面図であって、（ａ）は可動フードが始端側に位置した状態を示し、（ｂ）は可動フードが終端側に位置した状態を示す。
【発明を実施するための形態】
【００１６】
以下、本発明の一実施形態に係る釣竿用リールシートについて図１〜図６を参酌しつつ説明する。釣竿用リールシート（以下、単に「リールシート」という。）は、釣竿にリールを固定するためのものであって、図１に二点鎖線で示している竿本体１（ブランク）に装着されて使用される。本実施形態におけるリールシートは、いわゆるパイプシートとも称される全体として筒状のものであって、竿本体１に外装されて所定位置に固定される。尚、リールシートは、竿本体１の外周面に直接取り付け固定される他、竿本体１の外側に筒状のスペーサを取り付けてその外側に取り付け固定されることもあり、図１には、スペーサ２を介して竿本体１に取り付けられる構成を図示しており、図１においてスペーサ２は多数のトッドを付して示している。
【００１７】
また、リールシートの後側には筒状のグリップ３が竿本体１に外装され、リールシートの前側には筒状の口部スペーサ４が装着されている。尚、竿先側を前側とし、竿尻側を後側とする。図１では向かって左側が竿先側である。また、本実施形態のリールシートはベイトリールとも称される両軸リールを取り付けるためのものであり、従って、使用状態においては、通常、リールは釣竿の上側に位置する。そのため、リールシートにおいてリール脚５，６が載置される箇所であるリール脚載置部２０は、上側を向いた状態にある。
【００１８】
リールシートは、竿本体１に外装される筒状のリールシート本体１０と、該リールシート本体１０に外装されて軸線方向に沿ってスライド移動する可動フード１１と、該可動フード１１を軸線方向に移動させるためのナット１２とを備えている。
【００１９】
リールシート本体１０は、全体として筒状であってその内側を竿本体１が挿通する構成であり、リール脚５，６を載置するためのリール脚載置部２０と、前後一対のリール脚５，６のうち後側のリール脚６が差し込まれる固定フード２１と、ナット１２が螺合する雄ネジ部２２と、把持した際に指を引っ掛けるためのトリガ２３とを備えている。リールシート本体１０は、好ましくは合成樹脂製の成形品とされて固定フード２１も一体的に成形により形成されるが、別体に形成した固定フード２１を接着等により取り付け固定してもよい。
【００２０】
リールシート本体１０の上面と下面にはそれぞれ外周面と内周面とを連通する窓部２４，２５が形成されており、該窓部２４，２５を介して内側の竿本体１あるいは本実施形態ではスペーサ２が部分的に露出する構成となっている。上面の窓部２４はリールの前後方向中央に位置し、該窓部２４によってリール脚載置部２０は前後に分断された形となっている。上面の窓部２４の前側に位置するリール脚載置部２０の前部には前側のリール脚５が載置され、上面の窓部２４の後側に位置するリール脚載置部２０の後部には後側のリール脚６が載置される。そして、リール脚載置部２０の後部を上側から覆うようにして固定フード２１が一体的に形成されており、リール脚載置部２０の前部に載置された前側のリール脚５を可動フード１１が上方から覆う。
【００２１】
一方、下面の窓部２５は上面の窓部２４よりもやや後側に位置しており、下面の窓部２５の後側にトリガ２３が一体的に形成されている。トリガ２３は固定フード２１と対向してその反対側の下面に位置している。このようにトリガ２３の前側に窓部２５が形成されていることから、下面の窓部２５から露出しているスペーサ２あるいは竿本体１を、トリガ２３に引っ掛けた指で触れることができる。
【００２２】
下面の窓部２５の前側の部分は、前側に向けて徐々に大径となるテーパ形状となっており、該テーパ形状の部分の前側に径方向の段差部２６を介して小径部２７が形成されている。即ち、本実施形態におけるリールシート本体１０は、前側に小径部２７が形成され、後側には大径部２８が形成された構成となっている。大径部２８に固定フード２１とトリガ２３が形成され、小径部２７に雄ネジ部２２が形成されている。尚、上面には段差部２６が形成されていない。また、段差部２６は、軸線方向に対して直交しているのではなく、下側から上側に向けて徐々に後側に傾斜している。従って、リールシート本体１０の大径部２８の前端部は、その下部が最も前側に位置する。
【００２３】
リールシート本体１０の小径部２７の外周面は、雄ネジ部２２が形成された前側のネジ領域と雄ネジ部２２が形成されずに残った残部領域である後側の非ネジ領域とに区画される。そして、雄ネジ部２２を部分的に切り欠くようにして案内溝２９が軸線方向に延びて形成されている。該案内溝２９は、可動フード１１を軸線方向に案内するためのものであって、図２及び図３に示しているように小径部２７の左右両側部にそれぞれ形成されており、リール脚載置部２０を周方向の０度としたとき、プラスマイナス９０度の位置にあって、左右の案内溝２９は互いに１８０度対向した位置関係にある。
【００２４】
案内溝２９は、リールシート本体１０の前端部から段差部２６あるいはその近傍まで延びており、従って、案内溝２９はネジ領域を越えて非ネジ領域まで形成されている。尚、案内溝２９の始端部は前側に終端部は後側にあって、リール脚５，６を固定する際には可動フード１１を後側に移動させてリールシート本体１０の大径部２８に接近させ、リール脚５，６の固定を解除する際には可動フード１１をリールシート本体１０の大径部２８から離すように前側に移動させる。
【００２５】
案内溝２９の終端部近傍には、後側ほど下側に向けて傾斜する傾斜領域２９ａが設けられている。該傾斜領域２９ａの傾斜角度を図５（ａ）に符号θで示している。この傾斜角度θは、案内溝２９と後述の可動フード１１の係合凸部３０との間のクリアランスによって任意に設定されるものであるが、好ましくは１〜５度に設定される。また、傾斜領域２９ａの軸線方向の長さも任意であるが、少なくとも非ネジ領域に留まる程度の長さ、即ち、非ネジ領域の全長よりも短く設定され、好ましくは非ネジ領域の全長の１／３〜１／２の長さであって、更には、５〜１０ｍｍとされる。
【００２６】
かかるリールシート本体１０の小径部２７の外側に可動フード１１とナット１２が位置する。ナット１２が前側に位置し、その後側に続けて可動フード１１が位置する。図１においてナット１２を二点鎖線で示している。ナット１２は可動フード１１と一体となって移動する。即ち、ナット１２の後端部内周面が可動フード１１の前端部外周面に相対回転可能に係止されていて、ナット１２を回転させると可動フード１１は回転することなくナット１２と共に前後に移動する。かかるナット１２は、合成樹脂製あるいは金属製とされる。
【００２７】
可動フード１１は、筒状であって、リール脚５挿入側の開口端部である後端部の上部に、リールシート本体１０のリール脚載置部２０との間に前側のリール脚５が差し込み可能なように、周方向の一部が径方向外側に膨出したフード部３１を備えている。かかる可動フード１１は、リールシート本体１０と同様に合成樹脂から成形により形成されることが好ましいが、切削等により形成してもよく、また、金属製としてもよい。可動フード１１のフード部３１は開口端部の全周のうち他の部分よりも後側に突出した形状となっている。可動フード１１のフード部３１がリールシート本体１０の固定フード２１と前後に対向して位置していて、可動フード１１のフード部３１と固定フード２１によってリール脚５，６を前後に狭持して保持する。即ち、ナット１２を締め付け方向に回転させて可動フード１１をリール脚５，６を固定する側である後側に移動させて固定フード２１に接近させると、リール脚５，６は可動フード１１と固定フード２１とによって前後に狭持されると共にリール脚載置部２０に押し付けられて固定される。逆に、ナット１２を緩める方向に回転させて可動フード１１を固定解除側である前側に移動させて固定フード２１から離していくと、リール脚５，６の固定状態が解除されてリールを釣竿から取り外すことができる。尚、可動フード１１の後端部（開口端部）は、リールシート本体１０の段差部２６と平行に対峙するように該段差部２６と同様に上側に向けて後方に傾斜した斜め形状となっている。従って、可動フード１１の後端部のうち上部のフード部３１が最も後方に突出して位置し、下部が最も前側に位置する。
【００２８】
可動フード１１の内周面には案内溝２９と係合する係合凸部３０が左右一対形成されている。該係合凸部３０は突条の如く軸線方向に沿って所定長さ延びた形状となっており、その上下の幅は案内溝２９の上下の幅よりも小さい。従って、係合凸部３０と案内溝２９との間には上下に所定のクリアランスがあるが、上述したように案内溝２９の終端部近傍には傾斜領域２９ａが設けられているため、可動フード１１が後側に移動すると、案内溝２９の傾斜領域２９ａにおける上側の側面に係合凸部３０の上面後端部が当接する。
【００２９】
以上のように構成されたリールシートにあっては、案内溝２９の終端部近傍に傾斜領域２９ａが設けられているので、リール脚５，６を保持すべく可動フード１１を後側に移動させていって可動フード１１のフード部３１が前側のリール脚５の上面に乗り上げても、従来のように上側に傾斜することなく、ほぼ水平な姿勢を維持することになる。図３には本実施形態のリールシートの要部を示しており、それと対比するために図４には比較例としてのリールシートの要部を示している。この比較例のリールシートにおいては、従来と同様、案内溝２９には傾斜領域２９ａが設けられておらず、図５（ｂ）にも示しているように、案内溝２９は始端部から終端部まで一直線状である。従って、この比較例の場合には、可動フード１１のフード部３１が前側のリール脚５の上面に乗り上げることで、可動フード１１は、案内溝２９と係合凸部３０との間の上下のクリアランスの分だけ、後側が上側となる傾斜姿勢となり、可動フード１１の後端部外周面の下部とリールシート本体１０の大径部２８における前端部外周面の下部との間には段差やズレが生じることになる。図６（ｂ）に図４のＢ部拡大図を示しているが、このように可動フード１１の後端部外周面の下部とリールシート本体１０の大径部２８における前端部外周面の下部との間には段差が生じるので、この段差に指が当たると違和感が生じることになって釣りに集中しにくくなる。
【００３０】
それに対して、本実施形態のリールシートにおいては図５（ａ）にも示しているように案内溝２９の終端部近傍に傾斜領域２９ａが設けられているので、案内溝２９の傾斜領域２９ａによって可動フード１１が下側に傾斜しようとするので、可動フード１１のフード部３１がリール脚５の上面に乗り上げても、可動フード１１は比較例のような傾斜姿勢にはならず、ほぼ水平な姿勢をキープする。従って、図３のＢ部拡大図である図６（ａ）のように、可動フード１１の後端部外周面の下部とリールシート本体１０の大径部２８における前端部外周面の下部との間には比較例のような段差やズレがほとんど発生せず、可動フード１１の後端部外周面の下部とリールシート本体１０の大径部２８における前端部外周面の下部とは略面一な状態となって、リールシート本体１０の大径部２８から可動フード１１へと滑らかに連続する面を形成することができる。従って、リールシート本体１０と可動フード１１との境界部分に指が当たっても違和感は生じず、釣りに集中することができるのである。
【００３１】
尚、本実施形態では、両軸リールを取り付けるためのリールシートについて説明したが、スピニングリールを取り付けるためのリールシートであってもよい。その場合、通常の使用状態においてリールが釣竿の下側に位置するため、リールシート本体１０のリール脚載置部２０も下側に位置する。
【００３２】
また、リールシート本体１０に径方向の段差部２６を設けが、該段差部２６を設けなくてもよい。更に、可動フード１１が後側に位置し、固定フード２１が前側に位置する構成であってもよい。
【符号の説明】
【００３３】
１    竿本体
２    スペーサ
３    グリップ
４    口部スペーサ
５    前側のリール脚
６    後側のリール脚
１０    リールシート本体
１１    可動フード
１２    ナット
２０    リール脚載置部
２１    固定フード
２２    雄ネジ部
２３    トリガ
２４    窓部
２５    窓部
２６    段差部
２７    小径部
２８    大径部
２９    案内溝
２９ａ  傾斜領域
３０    係合凸部
３１    フード部
１００  リールシート本体
１０１  リール脚載置部
１０２  大径部
１０３  小径部
１０４  段差部
１０５  可動フード
１０６  雄ネジ部
１０７  案内溝
【図１】
2015167508.tif 000003
【図２】
2015167508.tif 000004
【図３】
2015167508.tif 000005
【図４】
2015167508.tif 000006
【図５】
2015167508.tif 000007
【図６】
2015167508.tif 000008
【図７】
2015167508.tif 000009